(57)【要約】【課題】  既存のコンクリートブロックに改変を加えることなく、そのまま利用でき、一つの連結具を用いるのみで、上下及び左右方向への連結が行えると共に、目地間隙も得られるコンクリートブロックの連結具を提供せんとする。【解決手段】  コンクリートブロック５Ａ、５Ｂに形成された縦孔６Ａ、６Ｂに嵌合可能な軸状体１Ａ、１Ｂであって、二個の軸状体１Ａ、１Ｂの対向面を連係する連結片２が軸状体１Ａ、１Ｂの上下高さの中央部に設けられ、軸状体１Ａ、１Ｂは各コンクリートブロック５Ａ、５Ｂの隣接側の縦孔６Ａ、６Ｂに嵌合され、コンクリートブロック５Ａ、５Ｂ間の左右目地部７Ａの隙間を形成する間隔で連結片２の長さが設定されると共に、連結片２の厚みが上下目地部７Ｂの隙間を形成することを特徴とする上下・左右に隣接するコンクリートブロックの連結具。【選択図】  図１
2006028775.tif 000002
【特許請求の範囲】
【請求項１】
コンクリートブロックに形成された縦孔に嵌合可能な軸状体であって、二個の軸状体の対向面を連係する連結片が軸状体の上下高さの中央部に設けられ、軸状体は各コンクリートブロックの隣接側の縦孔に嵌合され、コンクリートブロック間に左右目地部の隙間を形成する間隔で連結片の長さが設定されると共に、連結片の厚みが上下目地部の隙間を形成することを特徴とする上下・左右に隣接するコンクリートブロックの連結具。
【請求項２】
軸状体の連結片と反対側面に水平片を突設し、水平片は連結片と同一平面上となる軸状体の上下高さの中央部に設けられると共に、厚みが連結片の厚みと等しいことを特徴とする請求項１記載の上下・左右に隣接するコンクリートブロックの連結具。
【請求項３】
一方の軸状体を板状体とし、コーナー用コンクリートブロックの隣接面側の縦孔内面に当接して挿入される板状体の中央部と連結片の一側端を突合し、他方の軸状体と連係したことを特徴とする請求項１又は２記載の上下・左右に隣接するコンクリートブロックの連結具。
【発明の詳細な説明】
【技術分野】
【０００１】
本発明は、コンクリートブロックを上下に積層し、又左右に横設して行く場合に、上下・左右の連結を強固とすると共に、その作業を容易とする連結具に関するものである。
【背景技術】
【０００２】
コンクリートブロックの連結金具に関するものとして提案されているものがある。
特開平１１ー８１５２３は、各コンクリートブロック上部両側に２ケ所溝を付け、その溝に一の金具の一端を差し込み、隣接するブロックにも同様の他の一端を差し込むことにより横方向を緊結し、又ブロックの両側面にも上下２ケ所溝を付け、その上側の溝に他の金具の一方を差し込み、上側に別のブロックを乗せ、他の金具のもう一方の端をブロックの下側の溝に差し込むものがある。
【０００３】
又、特開平０９ー２７３２４５は、コンクリートブロックの上面と下面のシェルに数条の溝構造を設け、略四角形の筒状構造ジョイントの上側と下側に前記溝構造と対応する接続部を設けたものがある。
【０００４】
更に、実公平０６ー２７６８７は、中央部及び両側部寄りに縦方向に貫通する縦状空洞部を夫々開設し、更に長手方向の両端面には連結用金具を係止するための幅広溝部を奥部分に形成して成る連結用縦溝を設けたコンクリートブロック本体と、前記幅広溝部に嵌入する連結用鈎状金具と、連結用鈎状金具を連結する連結用ピン金具より成るものがある。
【特許文献１】特開平１１ー８１５２３
【特許文献２】特開平０９ー２７３２４５
【特許文献３】実公平０６ー２７６８７
【発明の開示】
【発明が解決しようとする課題】
【０００５】
前記特開平１１ー８１５２３では、コンクリートブロックの上部両側及び両側面に溝を形成すること、二種類の金具を使用することが必要であり、又特開平０９ー２７３２４５もコンクリートブロックの上面と下面のシェルに数条の溝を形成することが要件であり、更に実公平０６ー２７６８７もコンクリートブロックの中央部及び両側部寄りに縦方向に貫通する縦状空洞部と、長手方向の両端面に幅広溝部を奥部分に形成し、かつ二種類の金具を要件とするものである。
【０００６】
そこで、本発明は既存のコンクリートブロックに改変を加えることなく、そのまま利用でき、一つの連結具を用いるのみで上下及び左右方向への連結が行えると共に、目地間隙も得られるコンクリートブロックの連結具を提供せんとするものである。
【課題を解決するための手段】
【０００７】
本発明は、コンクリートブロックに形成された縦孔に嵌合可能な軸状体であって、二個の軸状体の対向面を連係する連結片が軸状体の上下高さの中央部に設けられ、軸状体は各コンクリートブロックの隣接側の縦孔に嵌合され、コンクリートブロック間に左右目地部の隙間を形成する間隔で連結片の長さが設定されると共に、連結片の厚みが上下目地部の隙間を形成することを特徴とする上下・左右に隣接するコンクリートブロックの連結具である。
【０００８】
二個の軸状体を各々隣接するコンクリートブロックの縦孔に嵌合することによって、連結片のところまで軸状体は嵌入し、軸状体の上部へ積層するコンクリートブロックの縦孔に下面から嵌合すれば、関係する上下・左右の四個のコンクリートブロックが連結具で連結され、連結片の長さと厚みによって左右の横方向と上下の縦方向にも目地部の隙間が形成されるのである。
【０００９】
請求項２の発明は、軸状体の連結片と反対側面に水平片を突設し、水平片は連結片と同一平面上となる軸状体の上下高さの中央部に設けられると共に、厚みが連結片の厚みと等しいことを特徴とするものである。
【００１０】
請求項２の発明では、軸状体の連結片と反対側面に、連結片と同一平面上に位置する水平片を設けたため、連結片と共に上下に積層するコンクリートブロックの縦孔に軸状体を嵌合する深さ及び目地部の形成が確実と成るものである。
【００１１】
請求項３の発明は、一方の軸状体を板状体とし、コーナー用コンクリートブロックの隣接面側の縦孔内面に当接して挿入される板状体の中央部と連結片の一側端を突合し、他方の軸状体と連係したことを特徴とするものであり、コーナー部分の連結具を提供するものである。
【００１２】
コーナー部においては、基本のコンクリートブロックの一端面がコーナー用コンクリートブロックの側面に突合して係止するものであるから、両コンクリートブロックが離反しないように、コーナー用コンクリートブロックの溝孔内面に板状体を挿入し、当接して係止するのみで目的を達せられるのである。
【発明の効果】
【００１３】
以上のように、本発明は既存のコンクリートブロックをそのまま利用して連結具の使用が可能であり、隣接するコンクリートブロックの端部の縦孔に軸状体を嵌合するのみで、左右方向のコンクリートブロックの位置決めが目地間隙を形成して可能となり、更に突出している上部の軸状体へ積層するコンクリートブロックの縦孔を下面から嵌合するのみで、上下・左右の各コンクリートブロックの位置決めと連結具による連結が強固に、簡易確実に行える効果を有するものである。
【００１４】
請求項２の発明では、水平片の設置により軸状体の各コンクリートブロックへの嵌合をより確実に行えると共に、上下方向の積層が安定して、上下方向の目地間隙の形成が確実となる効果を発揮する。
【００１５】
請求項３の発明では、コーナー部分での基本的コンクリートブロックとコーナー用コンクリートブロックの結合が強固と成り、作業も簡易確実に行える効果を有する。
【発明を実施するための最良の形態】
【００１６】
本発明の実施の形態を図面に基づいて説明する。
図１は本発明のコンクリートブロックの連結具を示す斜視図であり、二つの軸状体１Ａ、１Ｂと互いに連係する連結片２より構成する。
【００１７】
軸状体１Ａ、１Ｂの平面形状はコンクリートブロックの縦孔の内周形状と略同一とし、該縦孔に嵌合する形状と成っている。
コンクリートブロックには数種の規格があり、縦孔の大きさ及び形状も特定しているため、その大きさ及び形状に合わせて軸状体１Ａ、１Ｂの平面形状を設定するものとする。
【００１８】
連結片２は軸状体１Ａ、１Ｂを連係し、帯状体で軸状体１Ａ、１Ｂの上下方向の中央部（２分の１）に水平に渡設し、その厚みで目地部の間隙を形成する。
又、連結片２の長さ（軸状体１Ａ、１Ｂ間の間隔）は、図２のように軸状体１Ａ、１Ｂを隣接設置するコンクリートブロック５Ａ、５Ｂの隣接側の縦孔６Ａ、６Ｂに嵌合した場合、コンクリートブロック５Ａ、５Ｂ間に隙間が空き、目地７Ａを形成できる長さに設定してある。
【００１９】
したがって、隣接するコンクリートブロック５Ａ、５Ｂの隣接側の各縦孔６Ａ、６Ｂへ、本発明の連結具の軸状体１Ａ、１Ｂの下部を連結片２で止まるまで嵌合することで、目地７Ａを形成してコンクリートブロック５Ａ、５Ｂの横方向への位置決めと連結具での固定を成し得るのである。
更に、軸状体１Ａ、１Ｂがコンクリートブロック５Ａ、５Ｂから突き出た上部へ、積層するコンクリートブロック５Ｃ、５Ｄの隣接側の縦孔６Ｃ、６Ｄを下面より嵌合すれば、連結片２の厚みが上下方向の目地７Ｂを形成して、連結片２の関係する上下・左右の四個のコンクリートブロック５Ａ、５Ｂ、５Ｃ、５Ｄが位置決め固定されることとなる（図３）。
【００２０】
本発明の連結具は合成樹脂や金属を用いて成形でき、軸状体１Ａ、１Ｂは筒体としてもよい。
又、連結片２の軸状体１Ａ、１Ｂ近傍の係止部分８と、側部の連係部分９を残して、窓孔１０としてもよい（図４）。
【００２１】
図５は、他の実施の形態を示す使用状態図であり、軸状体１Ａ及び１Ｂの外側に連結片２と同一平面上に水平片３Ａ、３Ｂを突設したものである。
連結片２と共に軸状体１Ａ、１Ｂとコンクリートブロック５Ａ、５Ｂ、５Ｃ、５Ｄの縦孔６Ａ、６Ｂ、６Ｃ、６Ｄの嵌合を係止し、上下方向の目地７Ｂを安定して形成できるものとなる。
【００２２】
図６は、コーナー部の連結具を示す斜視図であり、一方の軸状体を板状体４とし、立設した板状体４の上下方向の中央部と連結片２の一側端を突合して連係したものである。
板状体４の内側面４Ａがコーナー用コンクリートブロック１１の縦孔１２に挿入し、内壁に当接することで位置決め固定されるものである。
【図面の簡単な説明】
【００２３】
【図１】本発明の一実施の形態を示す連結具の斜視図である。
【図２】本発明の一実施の形態を示す連結具の使用の状態を示す斜視図である。
【図３】本発明の一実施の形態を示す連結具の使用の状態を示す正面図である。
【図４】本発明の他の実施の形態を示す連結具の斜視図である。
【図５】本発明の他の実施の形態を示す連結具の使用状態図である。
【図６】本発明の他の実施の形態を示すコーナー用連結具の斜視図である。
【図７】コーナー用連結具の使用の状態を示す斜視図である。
【符号の説明】
【００２４】
１Ａ、１Ｂ  軸状体
２  連結片
３Ａ、３Ｂ  水平片
４  板状体
５Ａ、５Ｂ、５Ｃ、５Ｄ  コンクリートブロック
６Ａ、６Ｂ、６Ｃ、６Ｄ、１２  縦孔
７Ａ、７Ｂ  目地
８  係止部分
９  連係部分
１０  窓孔
１１  コーナー用コンクリートブロック
【図１】
2006028775.tif 000003
【図２】
2006028775.tif 000004
【図３】
2006028775.tif 000005
【図４】
2006028775.tif 000006
【図５】
2006028775.tif 000007
【図６】
2006028775.tif 000008
【図７】
2006028775.tif 000009